(57)【要約】【課題】  記録再生装置内部で発生した熱を効率的に放熱が可能な装置を提供する。【解決手段】  情報を記録媒体に記録または記録媒体から情報を再生する記録再生部と、前記記録再生部を内包する内部筐体と、前記内部筐体を内包する外部筐体と、前記内部筐体と前記外部筐体とを第１の熱伝導部と第２の熱伝導部を有する連結部材により連結する連結部と、を備えていることを特徴とする記録再生装置。【選択図】図１
2006185471.tif 000002
【特許請求の範囲】
【請求項１】
第1の記録媒体に情報を記録または第1の記録媒体から情報を再生する第1の記録再生部と、
前記第1の記録再生部を内包する第１の筐体と、
第２の記録媒体に情報を記録または第２の記録媒体から情報を再生する第２の記録再生部と、
前記第２の記録再生部を内包する第２の筐体と、
前記第１の筐体および前記第２の筐体を内包する第３の筐体と、を備え、
前記第３の筐体は、前記第１の筐体および第２の筐体を取り付ける底板部と、前記底板部と対向して配置された天井板部とを有し、
前記天井板部と前記第１の筐体との間あるいは前記天井板部と前記第２の筐体間との間を第１の熱伝導部と第２の熱伝導部を有する連結部材により連結することを特徴とする記録再生装置。
【請求項２】
請求項１記載の記録再生装置において、前記第1の熱伝導部は粘弾性部材であり、前記第２の熱伝導部は金属部材であることを特徴とする記録再生装置。
【請求項３】
前記第１の記録媒体は光ディスクであり、前記第２の記録媒体は磁気ディスクであることを特徴とする請求項１または請求項２に記載の記録再生装置。
【請求項４】
前記天井板部は、着脱自在に構成されていることを特徴とする請求項１ないし請求項３のいずれかに記載の記録再生装置。
【請求項５】
請求項１に記載の記録再生装置において、前記第２の熱伝導部を前記天井板部に一体的に設けることを特徴とする記録再生装置。
【請求項６】
請求項５に記載の記録再生装置において、前記第２の熱伝導部は、前記天井板部に設けられた凹部であることを特徴とする記録再生装置。
【請求項７】
請求項１ないし６のいずれかに記載の記録再生装置において、前記第1の筐体および前記第２の筐体を前記底板部に取り付けるための支持部材を備え、前記支持部材を前記第１あるいは第２の筐体よりも天井板部側に突出させて設けることを特徴とする記録再生装置。
【請求項８】
第１の記録媒体に情報を記録または第１の記録媒体から情報を再生する第１の記録再生部と、
前記第１の記録再生部を内包する第１の筐体と、
第２の記録媒体に情報を記録または第２の記録媒体から情報を再生する第２の記録再生部と、
前記第２の記録再生部を内包する第２の筐体と、
前記第１の筐体および前記第２の筐体を内包する第３の筐体と、を備え、
前記第３の筐体は、前記第１の筐体および第２の筐体を取り付ける底板部と、前記底板部と対向して配置された天井板部とを有し、
前記天井板部は凹部を備え、前記凹部と前記第１の筐体間と、前記凹部と前記第２の筐体間の少なくとも一方を、粘弾性体部を介して連結する構成としたことを特徴とする記録再生装置。
【請求項９】
情報を記録媒体に記録または記録媒体から情報を再生する記録再生部と、
前記記録再生部を内包する内部筐体と、
前記内部筐体を内包する外部筐体と、
前記内部筐体と前記外部筐体とを第１の熱伝導部と第２の熱伝導部を有する連結部材により連結する連結部と、
を備えていることを特徴とする記録再生装置。
【請求項１０】
前記第1の熱伝導部は粘弾性部材であり、前記第２の熱伝導部は金属部材であることを特徴とする請求項９に記載の記録再生装置。
【請求項１１】
請求項９または１０に記載の記録再生装置において、前記内部筐体は前記外部筐体の底板部に支持部材を介して取り付けられ、前記支持部材は前記内部筐体よりも前記底板部と対向して配置された天井板部側に突出して設けられていることを特徴とする記録再生装置。
【発明の詳細な説明】
【技術分野】
【０００１】
本発明は、記録再生装置内部で発生した熱を放熱するのに好適な装置の構成に関する。
【背景技術】
【０００２】
磁気ディスクや光ディスク等の記録再生装置に、装置内部で発生した熱を放熱するためのファンを備えることが、例えば特許文献１に開示されている。
【０００３】
【特許文献１】特開平５−１９８１５６号公報
【発明の開示】
【発明が解決しようとする課題】
【０００４】
記録再生装置の筐体内で発生した熱を主にファンを用いて筐体の外へ運び出す構成では、ファンが故障した場合、光ディスク記録部（ＤＶＤ部）、磁気ディスク記録再生部（ＨＤＤ部）あるいは電子部品の温度が動作保証値を超えてしまい、信頼性を確保することが困難になるという恐れがある。
【０００５】
また、光ディスクを毎分１万回転等の高速で駆動した場合、それに伴い発生する騒音が大きくなる。ファンにより放熱を行う装置では、筐体の前面側或いは側面側に設けた外気の吸込み口、および背面側に設けた空気の吐出し口（ファン直後）から音が透過し、筐体外の騒音レベルが増大してしまう。
【０００６】
本発明は、上記課題を解決し、効率的に放熱が可能な装置を提供することを目的とする。
【課題を解決するための手段】
【０００７】
上記課題を解決するために、本発明にかかる記録再生装置は、情報を記録媒体に記録または記録媒体から情報を再生する記録再生部と、前記記録再生部を内包する内部筐体と、前記内部筐体を内包する外部筐体と、前記内部筐体と前記外部筐体とを第１の熱伝導部と第２の熱伝導部を有する連結部材により連結する連結部と、を備えていることを特徴とする記録再生装置。
【発明の効果】
【０００８】
本発明によれば、効率的に放熱が可能な装置を提供することができる。
【発明を実施するための最良の形態】
【０００９】
以下に、本発明の実施の形態を説明する。
【実施例１】
【００１０】
図１は、実施例１にかかる記録再生装置の一例を示す斜視外観図である。図２は、図１に示した矢印Ｃ方向のＸ−Ｘ位置におけるの断面図である。
【００１１】
記録再生装置１を囲う筐体１０は、底板部１１、天井板部１２、左側板部１３、右側板部１４、正面板部１５、背面板部１６により構成される。背面板部１６には、各種の入出力端子及び電源線（いずれも図示省略）が取り付けられている。２０は光ディスク記録再生部２を内包する筐体、３０は磁気記録再生部３を内包する筐体である。以下、筐体２０を第１の筐体、筐体３０を第２の筐体、筐体１０を第３の筐体という。
【００１２】
連結ユニット４０は、金属部４１、粘弾性体部４２により構成される。回路基板７０には、マイコンを備えたシステム制御系、ライン入出力系、ＴＶあるいはＨＤＴＶチューナ系、ＡＤ変換系、フレームＴＢＣ、ＤＮＲおよび映像音声符号化／複合化を行う信号処理系、ストリームバッファ系、電源系等を構成する電子部品類（図示省略）が実装されている。正面板部１５には、光ディスク記録再生部２のディスク挿入／排出口８０が配置されている。
【００１３】
ここで、第１の筐体２０および第２の筐体３０は、それぞれ支持脚５０および６０を介して、回路基板７０と共に第３の筐体１０の底板部１１にネジ（以下、ネジの図示省略）により取り付けられている。第３の筐体１０の天井板部１２は、一体に形成された左側板部１３および右側板部１３にて、ネジにより対向する底板部１１に着脱自在に取り付けられている。
【００１４】
この第３の筐体１０の天井板部１２の内側の面に、連結ユニット４０の金属部がネジあるいは溶着により取り付けられている。天井板部１２が底板部１１に取り付けられると、連結ユニット４０の粘弾性体部４２が、圧縮力を受けつつ第１の筐体２０および第２の筐体３０の上面に密着した状態となる。
【００１５】
この状態での記録再生装置１の動作について説明する。記録再生装置１の電源が入れられると、光ディスク記録再生部２および磁気ディスク記録再生部３が起動され、待機状態になる。ただ、この状態での消費電力は小さく、発生する熱も少ない。この状態から、光ディスク記録再生部２と磁気ディスク記録再生部３のいずれかが記録再生状態となると、消費電力が増加し、発熱量も増加する。
【００１６】
以下、放熱方法について説明を行う。光ディスク記録再生部２および磁気ディスク記録再生装置３で発生した熱は、連結ユニット４０の粘弾性部４２および金属部４１を経由して伝導により天井板部１２に伝えられた後、伝導、対流および放射により記録再生装置１の外部に放出される。一方、回路基板７０に実装された電子部品から放出された熱は、主に伝導、放射により第３の筐体１０の底板部１１に、また、対流、放射により天井板部１２、左側板部１４、右側板部１５および背面板部１６に伝達された後、伝導、対流および放射により記録再生装置１の外部に放出される。
【００１７】
本実施形態では、連結ユニット４０として、金属部４１だけでなく粘弾性体部４２を設けることにより、筐体２０、３０と金属部４１の各当接面の表面粗さ、あるいは平面度に起因する空気層の形成を抑えることができ、連結ユニット４０と筐体２０、３０を密着した状態にすることができる。このように、連結ユニット４０を粘弾性部４２と金属部４１の２層構成にすることにより、連結ユニット４０と筐体２０、３０を密着した状態にすることができるため、光ディスク記録再生装置２および磁気ディスク記録再生部で発生した熱を効率的に放熱することができる。
【００１８】
また、粘弾性体部４２の粘弾性効果により、天井板部１２の方から振動、衝撃などの外乱が加えられた場合であっても、第１の筐体２０および第２の筐体３０への振動伝達あるいは衝撃伝達を抑制することができる。
【００１９】
なお、金属部４１の材質としては、例えば電気亜鉛メッキ鋼板、ステンレス鋼板、銅板などが好適であるが、これに限定されるものではない。また、金属に限らず、熱伝導性のある素材であれば他の材質を用いても良い。
【００２０】
また、粘弾性部４２の材質としては、熱伝導性を持つアクリルエラストマーやバインダ中にセラミック粒子を分散させて熱伝導性を持たせた複合体などが好適であるが、これに限定されるものではない。弾性効果を備えているものであれば、他の材質を用いても良い。
【００２１】
以上説明したように、第１の筐体２０および第２の筐体３０と、第３の筐体１０の天井板部１２との間に熱伝導経路を構成して、光ディスク記録再生部２および磁気ディスク記録再生部３で発生した熱を効率良く天井板部１２に伝えるので、熱伝導経路がない装置構成と比較して天井板部１２の温度を高くすることが出来る。天井板部１２の温度が高くなることにより、外気との温度差が増大し、天井板部１２からの放熱量が増加するため、ファンを用いなくても、効率的に放熱することができる。
【００２２】
また、ファンを備えていないため、第３の筐体１０を密閉に近い状態とすることができ、光ディスクの高速回転により発生する騒音等が筐体外へ透過することを防止でき、筐体外の騒音レベルを低減することができる。
【００２３】
なお、第３の筐体１０の天井板部１２に対して、支持脚５０を第１の筐体２０より突出させて天井板部１２に近接させるように構成することが望ましい。同様に、支持脚６０を第２の筐体３０より突出させて天井板部１２に近接させるように構成することが望ましい。このように構成することにより、天井板部１２に物が置かれて、天井板部１２が底板部１１側に変形し、連結ユニット４０が第１の筐体２０、第２の筐体３０側に変位した場合でも、支持脚５０あるいは支持脚６０で変位量が制限される。このため、第１の筐体２０あるいは第２の筐体３０へ変位の影響、すなわち変形力が伝達されるのを防ぐことができ、記録再生装置の信頼性を向上できる。近接させるのは、支持脚５０、６０のいずれか一方を第１の筐体２０、第２の筐体３０より突出させて構成するようにしても良い。ただし、支持脚５０、６０の両方を筐体２０，３０よりも突出させて構成することにより、天井板部１２に物が置かれた場合の変位量をより抑制することができる。
【００２４】
上記の例では、連結ユニット４０が第１の筐体２０、第２の筐体３０側に変位した場合に、支持脚５０あるいは支持脚６０で変位制限を加える構成としているが、これに限ることなく、底板部１１に連結された別の部材で変位制限を加えても良い。
【実施例２】
【００２５】
図３は、実施例２にかかる記録再生装置の一例を示す斜視外観図である。実施例１との相違点は、記録再生装置１００を囲う第３の筐体１１０の背面板部１１６にファン１０２を設置していることである。図１と同じ構成は、同じ符号を付し、説明を省略する。
【００２６】
ファン１０２は、例えば、第２の筐体２０、第３の筐体３０のいずれか一方、あるいは両方の内部の所定箇所の温度をセンサで検出し、その値は所定の設定値を超えた場合に動作させる。
【００２７】
第１の筐体２０および第２の筐体３０と、第３の筐体１１０の天井板部１１２との間に熱伝導経路を構成して、光ディスク記録再生部および磁気ディスク記録再生部で発生した熱を効率良く天井板部１１２に伝え、記録再生装置の筐体表面自体を放熱面として用いているので、第２の筐体２０、第３の筐体３０の温度上昇を抑制し、ファンの動作時間を大幅に短縮することができる。このため、ファンの故障発生の確率を低く出来、その結果として記録再生装置１００の信頼性を向上できる。  
【実施例３】
【００２８】
図４は、実施例３にかかる記録再生装置の一例を示す断面図である。これは、図１で示したＸ−Ｘに相当する位置の断面を示している。第１の実施例との相違点は、連結ユニット２４０の金属部２４１および粘弾性体部２４２にそれぞれ切り欠きを設け、光ディスク記録再生部２を内包する第１の筐体２０および磁気ディスク記録再生部３を内包する第２の筐体３０のこの切り欠きに位置する部分および、これに対向する第３の筐体２１０の天井板部２１２の部分に熱放射シート２９０を貼付した構成としていることである。図１と同じ構成は、同じ符号を付し、説明を省略する。  この場合、第１の筐体２０および第２の筐体３０と、第３の筐体２１０の天井板部２１２との間に熱伝導経路および高い放射率の相対面を構成して、光ディスク記録再生部２および磁気ディスク記録再生部３で発生した熱を効率良く天井板部２１２に伝えることができる。これにより、天井板部２１２の温度と外気の温度差が増大して、天井板部２１２からの放熱量を増加することができ、ファンを使用しなくても効率的に放熱することができる。
【００２９】
ここで、熱伝導経路のみと比較して天井部２１２の温度を高くできるのは次の理由による。連結ユニット２４０の金属部２４１により天井部２１２に熱伝導で熱を効率的に伝えられるのは、金属部２４１と天井部２１２の接触部である。これに対して、熱放射シート２９０を貼付するのは、この接触部以外の天井部２１２の部分である。このため、光ディスク記録再生部および磁気ディスク記録再生部で発生した熱を天井板部２１２の広い範囲に効率的に伝えることが出来、この結果として天井板部２１２の温度をより高く出来るものである。
【００３０】
なお、上記例では、連結ユニット２４０の金属部２４１および粘弾性体部２４２に夫々切り欠きを設け、光ディスク記録再生部を内包する第１の筐体２０および磁気ディスク記録再生部を内包する第２の筐体３０のこの切り欠きに位置する部分および、これに対向する記録再生装置２００の第３の筐体２１０の天井板部２１２の部分に熱放射シート２９０を貼付した構成としている。ただし、これに限定されるのものではなく、連結ユニット２４０の金属部２４１および粘弾性体部２４２に夫々切り欠きを設けることなく、金属部２４１と天井部２１２の相対面に夫々熱放射シート２９０を貼付する構成としても良い。この場合でも、上記と同様な効果が得られる。
【００３１】
また、ファンを備えていないため、第３の筐体２１０を密閉に近い状態とすることができ、光ディスクを毎分１万回転等の高速回転で駆動した場合に発生する騒音等が筐体外へ透過することを防止でき、筐体外の騒音レベルを低く出来る。
【００３２】
なお、本実施例では、連結ユニット２４０の金属部２４１および粘弾性体部２４２に切り欠きを設けたが、これに限定するものではない。切り欠きを設けることなく、金属部２４１と、第３の筐体２１０の天井板部２１２にそれぞれ熱放射シート２９０を貼付した構成としても良い。
【実施例４】
【００３３】
図５は、実施例４にかかる記録再生装置の一例を示す斜視外観図である。図６は、図５に示した矢印Ｅ方向のＺ−Ｚ位置における断面図である。
【００３４】
実施例１との相違点は、記録再生装置３００を囲う第３の筐体３１０の天井板部３１２に内側方向へ凹む凹部３９２を設け、この凹部３９２と筐体２０および筐体３０と間を、粘弾性体部３４２を介して連結する構成としたことである。図１と同じ構成は、同じ符号を付し、説明を省略する。  凹部３９２を設けることにより、放熱面が増えため、第１の筐体２０および第２の筐体３０と凹部３９２間に構成された熱伝導経路を介して、光ディスク記録再生部２および磁気ディスク記録再生部３で発生した熱を効率良く放熱することができる。また、凹部３９２を設けることにより、天井板部３１２の上に物が置かれた場合であっても、凹部では外気と接することができ、放熱を行うことができる。なお、上記の凹部３９２は、第1の筐体２０、第２の筐体３０の内の温度の高い部分に粘弾性体３４２を介して連結するように設けることにより、さらに効率的な放熱を図ることができる。
【００３５】
なお、本実施例において、天井板部３１２に設ける凹部３９２は、筐体２０および筐体３０に対向する部分で夫々1つであったが、これに限らず、図７に示すように、複数設けても良い。複数設けることにより、放熱面が大きくなり、更に効率的に放熱することができる。
【実施例５】
【００３６】
図８は、実施例５にかかる記録再生装置の一例を示す斜視外観図である。実施例４との相違点は、第３の筐体４１０の背面板部４１６にファン４０２を設置していることである。図５と同じ構成は、同じ符号を付し、説明を省略する。  この場合にも、第１の筐体２０および第２の筐体３０と第３の筐体４１０の天井板部４１２の間に熱伝導経路を構成して、光ディスク記録再生部および磁気ディスク記録再生部で発生した熱を効率良く天井板部４１２に伝えるので、熱伝導経路がない従来構成と比較して天井板部４１２の温度を高くすることが出来る。この結果、外気との温度差が増大して、天井板部４１２からの放熱量を増加することが可能となる。これにより、ファンの動作時間が大幅に短縮されるため、ファンの故障発生の確率を低く出来、その結果として記録再生装置４００の信頼性を向上できる。
【００３７】
上記の実施例４および実施例５で、凹部３９２、４９２を設ける領域は、第１の筐体２０および第２の筐体３０に対向する部分より広くても良く、それぞれ、天井板部３１２、４１２の端部に到達するように、更には、左側板部３１３、４１３、右側板部３１４、４１４、正面板部３１５、４１６、背面板部３１６、４１６、の少なくとも１つに跨って形成されていても良い。これにより、記録再生装置３００、４００の天井板部３１２、４１２上に、物が置かれた場合等でも、凹部３９２、４９２により放熱のための空間を確保できるので効率的な放熱が出来る。すなわち、凹部内で生じる自然対流により、外気に熱を伝えることができる。自然対流は、凹部の深さに応じて生じやすくなるため、出来るだけ深い方がよく、３ｍｍ以上の深さを確保することが望ましい。ただし、これ以下の深さであっても自然対流による放熱効果は得られる。    
なお、上記の各実施例の光ディスク記録再生部で使用するディスクとしては、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）、Ｂｌｕ−ｒａｙディスクおよびＨＤ（Ｈｉｇｈ  Ｄｅｆｉｎｉｓｉｏｎ）−ＤＶＤ等がある。なお、記録再生装置１に内包する光ディスク記録部、磁気ディスク記録再生部は、いずれか一方のみでも良く、また、いずれか、あるいは両方を複数とした構成であってもよい。また、光磁気ディスクを用いる記録再生部であってもよい。
【００３８】
以上説明した記録再生装置は例であって、本発明は着脱自在の部分を有した筺体の内部に情報の記録再生部を内包した各種のポータブル機器や車載機器にも適用できる。また、本発明の適用は記録再生装置に限らず、装置内部で発生した熱を放熱することが必要な他の装置に用いても良い。
【図面の簡単な説明】
【００３９】
【図１】実施例１にかかる記録再生装置の一例を示す斜視外観図である。
【図２】図１に示す記録再生装置の断面図である。
【図３】実施例２にかかる記録再生装置の一例を示す斜視外観図である。
【図４】実施例３にかかる記録再生装置の一例を示す断面図である。
【図５】実施例４にかかる記録再生装置の一例を示す斜視外観図である。
【図６】図５に示す記録再生装置の断面図である。
【図７】記録再生装置の一例を示す断面図である。
【図８】実施例５にかかる記録再生装置の一例を示す斜視外観図である。
【符号の説明】
【００４０】
１、１００、２００、３００、４００    記録再生装置
１０、１１０、２１０、３１０、４１０    第３の筐体
１１、１１１、２１１、３１１、４１１  底板部
１２、１１２、２１２、３１２、４１２  天井板部
１３、１１３、２１３、３１３、４１３  左側板部
１４、１１４、２１４，３１４，４１４  右側板部
１５，１１５、３１５，４１５  正面板部
１６、１１６、３１６，４１６  背面板部
２０  第１の筐体
３０  第２の筐体
４０、２４０  連結ユニット
４１、２４１  金属部
４２、２４２、３４２  粘弾性体部
５０、６０    支持脚
７０    回路基板  
８０    ディスク挿入／排出口
１０２、４０２  ファン
２９０  熱放射シート
３９２、４９２  凹部
【図１】
2006185471.tif 000003
【図２】
2006185471.tif 000004
【図３】
2006185471.tif 000005
【図４】
2006185471.tif 000006
【図５】
2006185471.tif 000007
【図６】
2006185471.tif 000008
【図７】
2006185471.tif 000009
【図８】
2006185471.tif 000010